(57)【要約】【課題】本発明は、アンテナを有する本体部にデジタル機器を装着し、デジタル機器の受信感度及び送信感度を向上させることを目的とする。【解決手段】本発明によるデジタル機器用アンテナ装置は、アンテナ(6)を有する本体部(1)と、前記本体部(1)の表面(1a)に設けられデジタル機器(4)を装着するための装置部(5)とを備え、前記アンテナ(6)を介して前記デジタル機器(4)の受信感度及び送信感度を向上させる構成である。【選択図】図１
0003132742.tif 000002
【実用新案登録請求の範囲】
【請求項１】
受信機能又は送信機能又は受信及び送信機能を有するデジタル機器(4)を設置するための本体部(1)と、前記本体部(1)に設けられたアンテナ(6)と、を備え、
前記本体部(1)に設置された前記デジタル機器(4)の受信感度又は送信感度を、前記アンテナ(6)によって高めるようにしたことを特徴とするデジタル機器用アンテナ装置。
【請求項２】
前記本体部(1)には、前記本体部(1)を他部材に取付けるための取付部材(8)が設けられていることを特徴とする請求項１記載のデジタル機器用アンテナ装置。
【請求項３】
前記本体部(1)には、前記アンテナ(6)に接続された増幅回路(20)が設けられ、前記増幅回路(20)は、受信用と送信用に兼用されていることを特徴とする請求項１又は２記載のデジタル機器用アンテナ装置。
【請求項４】
前記アンテナ(6)に直接又は間接的に接続された導通線(7)は、前記本体部(1)に曲折した状態で配設されていることを特徴とする請求項３記載のデジタル機器用アンテナ装置。
【考案の詳細な説明】
【技術分野】
【０００１】
本考案は、デジタル機器用アンテナ装置に関し、特に、デジタル機器を、アンテナを有する本体部に設けることにより、感度の向上、すなわち、受信能力及び送信能力の向上を行うための新規な改良に関する。
【背景技術】
【０００２】
従来、用いられていたこの種のデジタル機器、例えば、携帯電話及びｉｐｏｄ等で、受信機能又は送信機能又は受信及び送信機能を有する構成の場合、室内又は車内で音楽をＦＭ受信機に送信して再生を行う方法が採用されている。
また、これらの構成は、最近、行われているもので、特に、ここでは、その構成を示す特許文献等は開示していない。
【考案の開示】
【考案が解決しようとする課題】
【０００３】
従来のデジタル機器は、以上のように構成されているため、次のような課題が存在していた。
すなわち、通常デジタル放送の場合、アナログ放送とは違って０か１であり、電波の強弱、アンテナの有無等とは関係なく、見えるか見えないかのどちらかであると考えがちである。しかし、画像自体はデジタル処理をされているが、電波はアナログであるため、電波の強弱及びアンテナの有無にも非常に影響を受けることになる。そのため、一例として、ワンセグ受信機、もしくは、ワンセグ受信機能を有する携帯電話の場合、室内又は車内の何れにおいても、地域によっては電波状況が変化して受信状態が悪く、映像が不鮮明となることがあった。
また、携帯電話等のデジタルオーディオ機器の音楽や画像を車内で再生するには、内蔵されたＦＭトランスミッターを用いるが、これらの送信出力は、電波法によって厳しく規制されているため、大きい出力信号とすることはできず、外部からの雑音によって再生中にノイズが混入したり、混信が発生することがある。
また、ＦＭトランスミッターによる送信機能を有する携帯電話の場合、音楽を車内のＦＭ受信機に送信すると、最近の車は、アンテナがルーフ後方上に設けられている構造が多く、アンテナまでの距離があり、微弱な電波では満足のいく送信を行うことは困難であった。
【課題を解決するための手段】
【０００４】
本考案によるデジタル機器用アンテナ装置は、受信機能又は送信機能又は受信及び送信機能を有するデジタル機器を設置するための本体部と、前記本体部に設けられたアンテナと、を備え、前記本体部に設置された前記デジタル機器の受信感度又は送信感度を、前記アンテナによって高めるようにした構成であり、また、前記本体部には、前記本体部を他部材に取付けるための取付部材が設けられている構成であり、また、前記本体部には、前記アンテナに接続された増幅回路が設けられ、前記増幅回路は、受信用と送信用に兼用されている構成であり、また、前記アンテナに直接又は間接的に接続された導通線は、前記本体部に曲折した状態で配設されている構成である。
【考案の効果】
【０００５】
本考案によるデジタル機器用アンテナ装置は、以上のように構成されているため、次のような効果を得ることができる。
すなわち、本体部にアンテナが設けられ、この本体部に、ワンセグ携帯、ワンセグ内蔵デジタルプレイヤー等の受信装置内蔵型のデジタル機器を装着することにより受信感度を向上させることができ、また、ＦＭトランスミッター内蔵携帯電話、ＦＭトランスミッター等の送信装置内蔵型のデジタル機器を本体部に装着することにより、送信感度を向上させることができる。
また、本体部内にアンテナに接続された受信及び送信用に共通の増幅回路を有しているため、アンテナのみを用いる形態よりも大幅に受信、送信感度を向上させることができる。
【考案を実施するための最良の形態】
【０００６】
本考案は、デジタル機器を、アンテナを有する本体部に設けることにより、感度の向上、すなわち、受信感度及び送信感度の向上を行うようにしたデジタル機器用アンテナ装置を提供することを目的とする。
【実施例】
【０００７】
以下、図面と共に本考案によるデジタル機器用アンテナ装置の好適な実施の形態について説明する。
図１及び図２は、本考案によるデジタル機器用アンテナ装置の外観を示すものであり、符号１で示されるものは全体形状が箱型をなす本体部である。
【０００８】
前記本体部１の表面１ａには、突起形状の一対の第１、第２ガイド部材２,３が設けられると共に、各ガイド部材２,３以外の部分にデジタル機器４を装着するための平坦な装着部５が形成されている。
【０００９】
前記本体部１の上部には、アンテナ６が設けられ、このアンテナ６に接続された導通線７は、前記装着部５の面に沿って、例えば、渦巻（渦巻以外も可）状に曲折して形成され、前記デジタル機器４の背面４ａに対応して接近もしくは接触する状態で配設されている。
【００１０】
前記本体部１の裏面１ｂには、後方へ突出する形状で板状をなす取付部材８が設けられており、この取付部材８には前記本体部１に接続された接続部材９が軸支部１０を介して接続され、前記取付部材８は前記軸支部１０を介して回動できると共に、この取付部材８の裏面は接着面８ａで形成されている。尚、前記取付部材８を車のダッシュボード等に装着することができる。また、本体部１の各ガイド部材２は、図３に示すように、ツメ状として本体部１内に出入りする構成とすることもできる。また、前記取付部材８は軸支部１０のない構成も可で、ダッシュボードに装着する以外に、エアコンの吹出口に固定金具を用いて設置することもできる。
【００１１】
前記本体部１には電源線１１が設けられ、この電源線１１の先端には、接続体１２が設けられている。
前記接続体１２は、シガレットプラグにて構成されている。
【００１２】
次に、前述の構成において、前記デジタル機器４として、例えば、ワンセグ携帯、ワンセグ内蔵デジタルプレイヤー等の受信装置内蔵型、又は、ＦＭトランスミッター内蔵携帯電話、ＦＭトランスミッター等の送信装置内蔵型、を用い、このデジタル機器４を前記装着部５に装着すると、このデジタル機器４は、第１ガイド部材２と前記第２ガイド部材３によって挟み込まれることにより支持される。
【００１３】
前述の状態において、前記デジタル機器４をオン状態とすると、このデジタル機器４内に内蔵され図示しない受信アンテナ又は送信アンテナが、前記アンテナ６の導通線７と電磁的に結合し、受信の場合には、前記アンテナ６で誘導された受信電波が導通線７を介してデジタル機器４の受信装置（図示せず）に誘導されるため、受信時の受信入力が向上した状態となり、結果的に、前記デジタル機器４単体の時よりも、受信感度が向上した状態となり、良好な受信状態を得ることができる。
【００１４】
また、前記デジタル機器４が送信装置（図示しない）を内蔵している場合、前述の受信装置を内蔵したデジタル機器４とは異なり、内蔵した送信装置と前記導通線７が電磁的に結合し、送信電波は前記アンテナ６から外部へ発射されることにより、送信感度を向上させることができる。
【００１５】
前述の構成は、図３に示されるように、前記本体部１にアンテナ６と導通線７を用い、増幅回路２０を内蔵しない形態について述べたが、他の形態として、図４に示されるように、アンテナ６と導通線７との間に増幅回路２０を採用している。
【００１６】
前記増幅回路２０は、前記デジタル機器４の受信装置又は送信装置の受信周波数及び送信周波数に対応した周波数特性を有しており、受信用の場合には、受信信号を増幅してデジタル機器４に入力し、送信用の場合には、送信信号を増幅してアンテナ６から送信している。
尚、前記増幅回路２０の周波数特性としては、前記受信信号及び送信信号の周波数特性が同一もしくは類似であるため、送受信用に兼用できるように構成されている。
【００１７】
また、前述の増幅回路２０を用いる図４の形態の場合、図１で示される電源線１１を用いて車のシガーソケットに接続することにより、増幅回路２０への電源を得ることができる。
また、図示していないが、前記本体部１に、前記デジタル機器４用の充電部を設けておくことにより、デジタル機器４側の電源状態を何ら気にすることなく、デジタル機器４の使用を継続することができる。尚、前記本体部１の形状は前述の形状に限らず他の形状も可能であると共に、取付部材８を用いない構成も可能である。
【図面の簡単な説明】
【００１８】
【図１】本考案によるデジタル機器用アンテナ装置を示す右側面図である。
【図２】図１の正面図である。
【図３】図２の他の形態を示す構成図である。
【図４】増幅回路を有しない形態の構成図である。
【図５】増幅回路を有する形態の構成図である。
【符号の説明】
【００１９】
１    本体部
１ａ    表面
１ｂ    裏面
２    第１ガイド部材
３    第２ガイド部材
４    デジタル機器
４ａ    背面
５    装着部
６    アンテナ
７    導通線
８    取付部材
８ａ    接着面
１１    電源線
１２    接続体
【図１】
0003132742.tif 000003
【図２】
0003132742.tif 000004
【図３】
0003132742.tif 000005
【図４】
0003132742.tif 000006
【図５】
0003132742.tif 000007
【手続補正書】
【提出日】平成19年4月23日(2007.4.23)
【手続補正１】
【補正対象書類名】明細書
【補正対象項目名】０００２
【補正方法】変更
【補正の内容】
【０００２】
従来、用いられていたこの種のデジタル機器、例えば、携帯電話及びｉｐｏｄ（登録商標）等で、受信機能又は送信機能又は受信及び送信機能を有する構成の場合、室内又は車内で音楽をＦＭ受信機に送信して再生を行う方法が採用されている。
また、これらの構成は、最近、行われているもので、特に、ここでは、その構成を示す特許文献等は開示していない。